(57)【要約】      （修正有）【課題】海面下にて取水した海水にて発電し、この流入した海水を排出することにより、発電運転を継続する。【解決手段】海面に浮かぶ扇形（じょうご状）の浮力船を構成し、その内周側に形成される傾斜面に、取水した海水が流れるドラム缶と、この海水により発電する発電機のセットを多数設置する。この水流発電のために流入した海水を、浮力船の外側に設置した外回転扇の回転によるポンプ作用により、海面下となる排出部の海水圧に抗して排水する。【選択図】図４
2013027296.tif 000002
【特許請求の範囲】
【請求項１】
扇形浮力船の船内にドラム缶水流発電機を設置をし、その喫水線３ｍ〜５ｍ下に海水取込口を設け、その海水の流入による排水を行なう為に扇形船外部分に「外回転扇」を設け、この「外回転扇」と扇形浮力船との間にて海水を回転さす事により扇形浮力船の船縁と船底部分にかけて渦海水流を起こし、その渦海水流が勢いよく回転を始めればその渦海水流に本ドラム缶水流発電機よりの排水を流し込み常時発電と排水が同時に行なわれるものである。
【請求項２】
本発電設備の周囲を海上部分より「大深度深海水排圧深海船」迄強力な防圧壁を設ければその間の海水には大きく水圧が減少し、本設備の「外回転扇」の稼動がより軽快に行なわれ、海上の荒天時、台風時等、大きな問題点が、大前進をし、海中発電がより大きく前進するものである。
都会での地下鉄、鉄道、高層ビル等の設備を考えれば、海上でのこれ位の設備はより簡単な設備となり、深海での水圧の恐怖より解放されるものである。
【発明の詳細な説明】
【技術分野】
【０００１】  本発明は外回転扇の回転による潮海水流の渦の発生により、大量の排海水を回転潮海流として排水を行なうものである。【０００２】  本発明は画期的な新技術である。【０００３】  以上の通り図１〜４図により説明する。【０００４】  図１の通り本体の扇形発電船の外側に「外回転扇」を設け回転を行なう事により回転渦の発生を行ない「外回転扇」部分が実質の船縁、船底に近い回転潮流壁となるものであり、その内側に発電船の排水を放出し、順調な発電と排水を行なうものである。
【発明の概要】
回転渦の発生により大量の排水が処理される事により、海中発電に於ける最大の懸案である排水処理が大きく前進をし、これからの発電に大きく貢献するものである。
【課題を解決するための手段】  大容量の発電を目指せばどうしても大量の排水処理になると思うが、思いもつかない一升瓶での回転力を利用して回転流とすれば簡単に排出さす事を思いついたもので、「外回転扇」を設け回転を行なえば、図の「タライ」の回転する様子を見ても浮力を利用しながら回転を行なえば必ず強力な回転渦海水流が得られて大量の排水が充分に行なわれるものである。
【発明の効果】  現実には誰１人として海中数ｍ下での発電なんか馬鹿にして話をしても相手にしてくれなかったものであるが、こんな簡単な発見でもこれからは多くの人が興味を持ってくれれば必ず近い将来には「海洋国家日本」を助ける事になると思います。
大発展可能な発電にとどまらず、農業に、当然漁業に又海中資源の開発等々に大自然に大きな負荷を掛けずに又原子力発電からの完全な撤退も可能となり、近い将来の火石燃料の高騰も充分に対応出来る事となる。
【図面の簡単な説明】
【図１】扇形発電船の外側に外回転扇を設け、発電船との間に回転渦流を造り排水を行なうものである。
【図２】１ｋｍ×８００ｍの大規模船内における扇形発電機の設置図と外回転扇の祥細図、渦流の流入さす為の設置図である。
【図３】扇形浮力船回転式発電設備内の回転発電機６４台と立置形ドラム缶水流発電機３０台の設置図と本立置形発電機よりの排水を処理を行なう為の「大深度深海水排出深海船」の祥細図である。
【図４】海上部分より上記「大深度深海水排出深海船」迄発電施設の周辺部分に強力な『海中防圧壁』を設ければその内側の海水部分には水圧が殆んど無くなり、より大規模海中発電が大きく前進する。
【発明を実施するための形態】
〔図１〕図の通り扇形の船内にドラム缶水流回転式発電機を設け、大量に排出される海水処理の為に外側に「外回転扇」を設けその「外回転扇」が順調に回転渦流を起こし排水を完全に処理をする為の高速回転をするものである。
〔図２〕扇形浮力船内に於ける発電機内により強烈で効率よく回転渦海流の流入を図る為の設置図であり、回転潮流と回転渦力による大量の海水が高速で流入する事による高発電力を狙ったものである。
〔図３〕今後２ｋｍ×２ｋｍ等、扇形浮力船回転式発電設備と立置形ドラム缶水流発電機を併設する事により海上の荒天時台風時等にも充分対応出来るものであり、両発電設備の併設を目指し、扇形浮力船回転式発電機はどうしても、荒天時、台風時には弱いものと思われるのでその時の排水は立置形ドラム缶水流発電機用の排水口に排水を切り換えて常に両方の発電設備が常時発電を行なうものである。
〔図４〕海中発電での最大の問題は水圧と荒天時、台風時等の大きな波のうねり、又強烈な海水流等々あるが、図の様な発電設備の周囲を完全に包囲をすれば諸々の問題が大前進する。
【図１】
2013027296.tif 000003
【図２】
2013027296.tif 000004
【図３】
2013027296.tif 000005
【図４】
2013027296.tif 000006
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
海上部分に扇形をなす円錐形の船を設置をし、その船内に喫水線から３ｍ〜５ｍ下に海水取込口、「海水注入調整装置」とその装置と連結されたその下部に設けた「ドラム缶水流発電機」を連結装置をし、その上部の海水取込口から流入する海水が上記発電機内に３層に設備された１番内側部分の「うねり筒」部分にのみ海水の流入が行なわれると、その「うねり筒」部分に直接接合された「内側回転筒」部分が同時に回転を始めると１番外側部分に固定設置がされた「外側設置筒」との間に装着された「ベアリング」の稼動する力を併わせて回転が行なわれ、その回転力が「内側回転筒」の外側部分に設置された連動回転ギア部分の回転により発電が行なわれる。
その発電後の排海水は最下部部分に設置された「落下排水口Ｂ」部分に流入されその内部に装着された「空気噴出装置」の高圧空気の噴出力と、当扇形浮力船の外部分に水平面からみて扇形をなす円錐台形の筒を設け、当該筒を回転させる事により、前記浮力船と本円錐台形の筒部分との間にて海水を回転させる事により船の船縁と船底部分にかけて渦、海水流を起こし、その渦海水流が勢いよく回転を始めればその渦海水流が「ドラム缶水流発電機」よりの排水を巻き込み、常時発電と排水が同時に行なわれる発電装置。
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
本願発明は、水平面からみて扇形をなす円錐形の船の船内に水流発電機を設置をし、その喫水線３ｍ〜５ｍ下に海水取込口を設け、海水取込口から取り込んだ海水により発電を行い、発電後の排水を行なう為に、船の外部分に水平面からみて扇形をなす円錐形の筒を設け、当該筒を回転させる事により前記船と前記筒との間にて海水を回転させ船の船縁と船底部分にかけて渦海水流を起こし、その渦海水流が勢いよく回転を始めればその渦海水流が水流発電機よりの排水を巻き込み、常時発電と排水が同時に行なわれる発電装置。
【手続補正２】
【補正対象書類名】明細書
【補正対象項目名】０００４
【補正方法】変更
【補正の内容】
【０００４】  本願発明は、水平面からみて扇形をなす円錐形の船の船内に水流発電機を設置をし、その喫水線３ｍ〜５ｍ下に海水取込口を設け、海水取込口から取り込んだ海水により発電を行い、発電後の排水を行なう為に、船の外部分に水平面からみて扇形をなす円錐形の筒を設け、当該筒を回転させる事により前記船と前記筒との間にて海水を回転させ船の船縁と船底部分にかけて渦海水流を起こし、その渦海水流が勢いよく回転を始めればその渦海水流が、水流発電機よりの排水を巻き込み、常時発電と排水が同時に行なわれる発電装置である。
また、排水の補助をするために、水流発電機の最下部に設置された空間に高圧空気を導入するようにしてもよい。